(57)【要約】【課題】干渉フィルタホルダをコストアップを伴わずに細径化し、干渉フィルタの傾斜角度も精度良く調整できるようにする。【解決手段】光軸３３を軸とした円筒状本体部３と、本体部の側面に装着されるフィルタ保持部２ａとからなり、本体部は前後端面３１間を貫く孔３２と側面上方が前後中央から両端面に向かう領域にて切りかかれてなる平坦部３４と平坦部にて開口する円形孔状の保持部挿入孔３６を備え、フィルタ保持部は下面２８に干渉フィルタ４が取り付けられる円板状のフィルタ取付部１２２の上面に鍔状の頭部２１が形成されてなり、頭部の上面２６には所定の工具と係合する凹凸構造２７が形成され、フィルタ取付け部の外周面が保持部挿入孔の内面と摺り合わされた状態で嵌め込まれると頭部の下面が平坦部に当接し、フィルタ保持部は工具を用いることで上下方向を軸２３として回動する。【選択図】図３
2014194441.tif 000002
【特許請求の範囲】
【請求項１】
光ファイバによる通信経路の途上に介在させる干渉フィルタを光軸に対して所定の角度に保持した状態で収納するための干渉フィルタホルダであって、
前後方向を光軸方向とし、光軸に直交する一方向を上下方向として、
前記光軸方向を軸とした円筒状の本体部と、干渉フィルタを保持しつつ前記本体部の側面に上方から装着されるフィルタ保持部とを含んで構成され、
前記円筒状の本体部は、光軸に沿って前後の端面間を貫く貫通孔と、側面上方が前後中央から両端面に向かう領域にて切り欠かれてなる平坦部と、当該平坦部の前後中央近傍に円形に開口して下方に延長する保持部挿入孔とを備え、
前記フィルタ保持部は、下面を干渉フィルタの取付け面とした円板状のフィルタ取付部と、当該フィルタ取付け部の上面に鍔状に形成された頭部とを備え、
当該頭部の上面には所定の工具と係合する凹凸形状の角度調整部が形成され、
前記フィルタ保持部は、前記フィルタ取付け部の外周面が前記保持部挿入孔の内面と摺動可能な状態で嵌め込まれることで前記本体部に装着されるとともに、当該装着状態では、前記頭部の下面が前記平坦部に当接しつつ、前記工具を用いることで上下方向を軸として回動する、
ことを特徴とする干渉フィルタホルダ。
【請求項２】
請求項１において、上下方向と前後方向とに直交する方向を左右方向として、前記フィルタ保持部は、前記頭部の前後長が前記フィルタ取付け部の直径よりも長く、左右長が当該直径よりも短く、前記フィルタ取付け部に対し前後に張り出すように形成されていることを特徴とする干渉フィルタホルダ。
【請求項３】
請求項１または２に記載の前記干渉フィルタホルダと、前記干渉フィルタと、光ファイバが接続された二つの光コリメータとから構成された干渉フィルタモジュールであって、
前記二つの光コリメータは、それぞれの光コリメータレンズが前後方向で互いに対向するように直列に配置されているとともに、当該二つの光コリメータ間に前記干渉フィルタホルダの前記本体部が介在して前記二つの光コリメータ間の光軸が前記貫通孔を貫き、
前記フィルタ保持部は、前記本体部に装着されつつ前記頭部が前記平坦部に固定され、
前記干渉フィルタは、光の透過面が前記フィルタ取付部の下面と直交しつつ、上面が当該フィルタ取付部の下面の領域内に配置されるように取り付けられ、
前記干渉フィルタの前記光の透過面は、光軸に対して所定の角度で傾斜している、
ことを特徴とする干渉フィルタモジュール。
【発明の詳細な説明】
【技術分野】
【０００１】
この発明は所定の波長の光を選択的に透過する干渉フィルタを保持するための干渉フィルタホルダとそのホルダを用いて構成される干渉フィルタモジュールに関する。
【背景技術】
【０００２】
干渉フィルタは、薄膜の界面で発生する反射光の干渉現象を利用し、特定の波長（または波長帯域）の光を選択的に透過させるための光学部品である。干渉フィルタは、例えば、光通信網を構成する光ファイバの延長途上に介在し、劣化した信号波形を整形したりノイズ光を除去したりするために用いられる。
【０００３】
ところで、干渉フィルタを光ファイバによる通信経路途上に設置する場合、所望の波長の光を低損失で透過させるとともに、干渉フィルタの表面で反射した光が入力側に戻らないようにする必要がある。そのため、干渉フィルタは、光軸を合わせて対向配置された一対の光コリメータ間に、光の入出射面が光軸に対して数度程度の範囲で精度良く傾斜した状態で設置される。そして、その光コリメータ間に干渉フィルタを光軸に対して精度良く傾けた状態で設置するための筐体が本発明で言う干渉フィルタホルダであり、その干渉フィルタホルダと一対の光コリメータとからなる光学部品が本発明で言う干渉フィルタモジュールとなる。
【０００４】
図１は、干渉フィルタ４が組み込まれた従来の干渉フィルタホルダ１の一例を示す図である。図１（Ａ）は、干渉フィルタホルダ１の分解斜視図であり、（Ｂ）は完成状態にある干渉フィルタホルダ１の斜視図である。そして図１（Ａ）に示したように、干渉フィルタホルダ１は、干渉フィルタ４を保持するフィルタ保持部２と、そのフィルタ保持部２を収納するための本体部３とから構成されている。
【０００５】
フィルタ保持部２は、干渉フィルタ４を干渉フィルタホルダ１内に固定するための構成であり、円筒状の胴部２２の一方の端面に当該胴部２２よりも拡径された円板状の頭部２１が形成された形状となっている。そして胴部２２には、干渉フィルタ４を収納するために、円筒状の胴部２２の側面には円筒軸２３と直交する方向に矩形断面を有して貫通する孔（以下、フィルタ収納部）２４が形成されており、直方体状、あるいは矩形平板状の干渉フィルタ４は、光の入出射面４１が矩形の開口２５から露出するように当該フィルタ収納部２４に挿入される。
【０００６】
本体部３は中空円筒状で、両端面３１に光コリメータが接続されることで干渉フィルタモジュールの形態になる。この本体部３には円形断面を有する貫通孔３２が円筒軸３３方向に形成されており、一対の光コリメータが本体部３を挟んで対向配置されると、この円筒軸３３を光軸とした光路が貫通孔３２内に形成される。
【０００７】
ここで、本体部３の円筒軸３３の延長方向を前後方向とし、フィルタ保持部２における胴部２２の円筒軸２３の延長方向を上下方向とするとともに、フィルタ保持部２の頭部２１側を上方とすると、本体部３の上方側面には、前後中央から端面３１に向かう途上までが切り欠かれ、上下方向を法線方向とする平坦部３４が形成されている。そして、この平坦部３４となっている領域（以下、切欠部）３５には、上下方向を深さ方向として開口する円形孔３６が形成され、先の貫通孔３２がこの円形３６の内面に開口している。ここに示した例では、円形孔３６は有底であるが、貫通孔である場合もある。
【０００８】
この円形孔（以下、保持部挿入孔）３６にはフィルタ保持部２の胴部２２が挿入される。なお胴部２２は、保持部挿入孔３６に挿入された状態では、その側面が保持部挿入孔３６の内面に対して摺動可能な状態で接触する。そして、フィルタ保持部２の胴部２２が保持部挿入孔３６に挿入されると、図１（Ｂ）に示したように、フィルタ保持部２の頭部２１の下面が本体部の平坦部３４の上面に当接し、フィルタ保持部２が本体部３に対して隙間無く装着される。このとき、胴部２２の矩形開口２５と保持部挿入孔３６内における貫通孔３２の開口とを対面させることで、光軸３３に沿って進行する光線が干渉フィルタ４を透過する。また、保持部挿入孔３６に挿入した胴部２２を円筒軸２３周りに回転させると干渉フィルタ４における光の入出射面（以下、光透過面）４１が光軸３３に対して傾斜する。そして、フィルタ保持部２には、胴部２２を回転させるための構造として、頭部２１の上面２６に凹凸構造（以下、角度調整部とも言う）２７が形成されている。図１に示した例では溝状の角度調整部２７が形成されており、フィルタ保持部２が本体部３に装着された状態でマイナスドライバなどの工具を頭部２１のこの溝２７に当て、その頭部２１を胴部２２の円筒軸２３周りに回転させると、胴部２２に装着されている干渉フィルタ４を光軸３３に対して所定の角度で傾けることができる。所定の角度に調整されたならば、その角度が振動などによって経時変化しないように、頭部２１をレーザー溶接などの方法によって平坦部３４に固定する。
【０００９】
なお以下の特許文献１には、前後方向に延長する直方体状の本体部を備えた干渉フィルタホルダが開示されている。また、以下の非特許文献１には、市販されている干渉フィルタモジュールの外観やサイズなどが記載されている。
【先行技術文献】
【特許文献】
【００１０】
【特許文献１】特開平９−１７８９７０号公報
【非特許文献】
【００１１】
【非特許文献１】ＦＤＫ株式会社、”光フィルタデバイス”、[online]、[平成２５年３月１９日検索]、インターネット＜ＵＲＬ：http://www.fdk.co.jp/cyber-j/pi_opt_f.html＞
【発明の概要】
【発明が解決しようとする課題】
【００１２】
上述したように干渉フィルタホルダは、その組み立て過程において、干渉フィルタを光軸に対して所定の角度で傾くように精密に調整する必要がある。そのため干渉フィルタホルダは、光軸方向に延長する本体部と光軸に対し直交する方向を軸として回転可能なフィルタ保持部とを備えている。そして従来の干渉フィルタホルダでは、干渉フィルタを保持しつつこれを回動させるために、フィルタ保持部には光軸に対して直交する方向を軸とした円筒状の胴部が形成されていた。
【００１３】
ところで、干渉フィルタの光透過面と光軸との傾斜角度は数度程度であり、一般的には１゜〜２゜である。すなわち、干渉フィルタは、光透過面が光軸とほぼ直交した状態で筐体内に設置されることになる。したがって、干渉フィルタホルダを組み立てる際に、干渉フィルタの光透過面と光軸とがほぼ直交するようにしてフィルタ保持部を本体部に挿入すれば、干渉フィルタの傾斜角度を調整する際、フィルタ保持部を大きく回転させる必要がない。
【００１４】
その一方で、干渉フィルタホルダには、譬え僅かな角度であっても干渉フィルタを光軸に対して極めて精度良く傾斜させるための構造や機構が必要である。従来の干渉フィルタホルダでは、干渉フィルタを数度の角度範囲で精度良く傾斜させるために、円筒状の胴部の内部に直方体や矩形平板状の干渉フィルタを保持する構造を採用していた。そのため、小さな干渉フィルタを僅かに回転させるだけのための構成である胴部が本体部内で大きな領域を占有する結果となっていた。すなわち、従来の干渉フィルタホルダでは、干渉フィルタの傾斜を精度良く調整するための構成が自身の小型化を阻害する要因となっていた。言い換えれば、従来の干渉フィルタホルダ、およびそのホルダに光コリメータを接続した干渉フィルタモジュールでは、干渉フィルタの角度を精度良く調整することと干渉フィルタの細径化とを両立させることが困難となっていた。
【００１５】
確かに、干渉フィルタホルダの本体部の直径は、上記非特許文献１に記載されているように、１ｃｍ以下である。そのため、一つの干渉フィルタホルダでは劇的な細径化は期待できない。しかし、海底などに敷設される光ファイバケーブルは数十本の光ファイバを束ねた構造であり、そのケーブルにおける一本一本の光ファイバに干渉フィルタを介在させることを考えれば、一つの干渉フィルタホルダ（あるいは干渉フィルタモジュール）では僅かな細径化であっても、光ファイバケーブルとしては大幅に細径化できる。したがって、干渉フィルタホルダや干渉フィルタモジュールを細径化する意義は極めて大きい。もちろん、細径化に伴う個々の干渉フィルタホルダや干渉フィルタモジュールのコストアップが僅かであっても、大陸間を横断するような長大な光ファイバケーブルへの採用を考えれば、その光ファイバケーブルの延長途上では膨大な数の干渉フィルタモジュールが必要となり、光ファイバケーブルの価格が大きく増大する。したがって、コストアップを伴わずに干渉フィルタホルダや干渉フィルタモジュールを細径化させることも必要となる。
【００１６】
そして本発明は、光軸と干渉フィルタの光透過面との角度を精度良く調整できる機能を確保しつつ、コストアップを伴わずに細径化を達成した干渉フィルタホルダと干渉フィルタモジュールを提供することを目的としている。
【課題を解決するための手段】
【００１７】
上記目的を達成するための本発明は、光ファイバによる通信経路の途上に介在させる干渉フィルタを光軸に対して所定の角度に保持した状態で収納するための干渉フィルタホルダであって、
前後方向を光軸方向とし、光軸に直交する一方向を上下方向として、
前記光軸方向を軸とした円筒状の本体部と、干渉フィルタを保持しつつ前記本体部の側面に上方から装着されるフィルタ保持部とを含んで構成され、
前記円筒状の本体部は、光軸に沿って前後の端面間を貫く貫通孔と、側面上方が前後中央から両端面に向かう領域にて切り欠かれてなる平坦部と、当該平坦部の前後中央近傍に円形に開口して下方に延長する有底の保持部挿入孔とを備え、
前記フィルタ保持部は、下面を干渉フィルタの取付け面とした円板状のフィルタ取付部と、当該フィルタ取付け部の上面に鍔状に形成された頭部とを備え、
当該頭部の上面には所定の工具と係合する凹凸形状の角度調整部が形成され、
前記フィルタ保持部は、前記フィルタ取付け部の外周面が前記保持部挿入孔の内面と摺動可能な状態で嵌め込まれることで前記本体部に装着されるとともに、当該装着状態では、前記頭部の下面が前記平坦部に当接しつつ、前記工具を用いることで上下方向を軸として回動する、
ことを特徴とする干渉フィルタホルダとしている。
【００１８】
また、上下方向と前後方向とに直交する方向を左右方向として、前記フィルタ保持部は、前記頭部の前後長が前記フィルタ取付け部の直径よりも長く、左右長が当該直径よりも短く、前記フィルタ取付け部に対し前後に張り出すように形成されている干渉フィルタホルダとすればより好ましい。
【００１９】
そして本発明に係る干渉フィルタモジュールは、上記いずれかに記載の干渉フィルタホルダと、前記干渉フィルタと、光ファイバが接続された二つの光コリメータとから構成された干渉フィルタモジュールであって、
前記二つの光コリメータは、それぞれの光コリメータレンズが前後方向で互いに対向するように直列に配置されているとともに、当該二つの光コリメータ間に前記干渉フィルタホルダの前記本体部が介在して前記二つの光コリメータ間の光軸が前記貫通孔を貫き、
前記フィルタ保持部は、前記本体部に装着されつつ前記頭部が前記平坦部に固定され、
前記干渉フィルタは、光の透過面が前記フィルタ取付部の下面と直交しつつ、上面が当該フィルタ取付部の下面の領域内に配置されるように取り付けられ、
前記干渉フィルタの前記光の透過面は、光軸に対して所定の角度で傾斜している、
ことを特徴とする干渉フィルタモジュールである。
【発明の効果】
【００２０】
本発明によれば、光軸と干渉フィルタの光透過面との角度を精度良く調整できる機能を確保しつつ、小型化を達成した干渉フィルタホルダと干渉フィルタモジュールをコストアップを伴わずに提供することが可能となる。
【図面の簡単な説明】
【００２１】
【図１】従来の干渉フィルタホルダを示す図である。
【図２】本発明の実施例に係る干渉フィルタホルダを構成するフィルタ保持部を示す図である。
【図３】本発明の実施例に係る干渉フィルタホルダを示す図である。
【図４】上記実施例に係る干渉フィルタホルダを含んで構成される干渉フィルタモジュールを示す図である。
【図５】上記実施例に係る干渉フィルタホルダの変形例を示す図である。
【図６】本発明のその他の実施例に係る干渉フィルタホルダを示す図である。
【発明を実施するための形態】
【００２２】
＝＝＝実施例＝＝＝
本発明の実施例に係る干渉フィルタホルダは、図１に示した従来の干渉フィルタホルダと同様に円筒状の本体部と、干渉フィルタを保持しつつ本体部の円筒軸と直交する方向を軸として回転可能なフィルタ保持部とから構成されている。しかし、本実施例の干渉フィルタホルダでは、フィルタ保持部の構造に特徴を有し、それによって光軸に対して干渉フィルタを精度良く傾斜させる機能を備えつつ小型化に成功している。
【００２３】
図２に本発明の実施例に係る干渉フィルタホルダを構成するフィルタ保持部２ａを示した。また図３に本実施例に係る干渉フィルタホルダ１ａを示した。なお以下では、光軸３３方向を前後方向とするとともに、フィルタ保持部２ａの回転軸２３の延長方向を上下方向、その上下方向と前後方向とに直交する方向を左右方向とする。上下方向については、フィルタ保持部２ａにおける頭部２１側を上方として規定する。また、干渉フィルタホルダ１ａを構成する各部位については、図１に示したものに対して形状や構造あるいは機能に大きな差異が無ければ基本的に同じ符号を用いることとする。そして図２（Ａ）はフィルタ保持部２ａを上方から見たときの斜視図であり、（Ｂ）はフィルタ保持部２ａを下方から見たときの斜視図である。（Ｃ）は干渉フィルタ４が取り付けられた状態のフィルタ保持部２ａを下方から見たときの斜視図である。また図３（Ａ）は干渉フィルタホルダ１ａの分解斜視図であり、（Ｂ）は完成状態にある本実施例の干渉フィルタホルダ１ａの斜視図である。
【００２４】
まず図２（Ａ）〜（Ｃ）に示したように、本実施例の干渉フィルタホルダ１ａにおけるフィルタ保持部２ａは、上面２６に角度調整部２７となる凹凸を有する頭部２１と、頭部の下方に一体的に形成された円板状のフィルタ取付部１２２とから構成されている。なおこの例における角度調整部２７も溝状となっている。そして、図２（Ｃ）に示したように、干渉フィルタ４はフィルタ取付部１２２の下面２８に接着などの方法によって直接取り付けられる。フィルタ取付部１２２の下面２８は、干渉フィルタ４の上下方向への投影形状を包含する程度の大きさとなっている。
【００２５】
また図３（Ｂ）に示したように、本体部３は、図１に示した従来の干渉フィルタホルダ１と同様に前後方向を光軸３３とした円筒状で、その光軸３３に沿って貫通孔３２が前後の端面３１を貫いている。また上方側面には切欠部３５によって平坦部３４が形成されている。その平坦部３４には上方に開口する円形の保持部挿入孔３６が形成され、この保持部挿入孔３６内にフィルタ取付部１２２が挿入される。この保持部挿入孔３６は、有底であってもよいし貫通孔であってもよい。
【００２６】
そして円板状のフィルタ取付部１２２は、保持部挿入孔３６に挿入されている状態では、その外周面が当該保持部挿入孔３６の内面と摺動可能に接触する。また、干渉フィルタ４の光透過面４１がほぼ前後方向を向いた状態でフィルタ保持部２ｂを保持部挿入孔３６に挿入すれば、干渉フィルタ４は光軸３３に対して１゜〜２゜程度傾けるだけでよいので、円板状のフィルタ取付部１２２の外径や保持部挿入孔３６の内径は、干渉フィルタ４を上下方向に投影した形状における最大幅より僅かに大きい程度でよい。本実施例では、直方体状の干渉フィルタ４における矩形上面の対角線の長さより大きければよい。保持部挿入孔３６の深さは薄い円板状のフィルタ取付部１２２の厚さに干渉フィルタ４における上下方向の長さを加えた長さよりも大きければよい。
【００２７】
以上説明したように、本実施例に係る干渉フィルタホルダ１ａでは、従来の干渉フィルタホルダ１のように干渉フィルタ４を囲繞するように保持する胴部２２がないため、保持部挿入孔３６の内径と深さをより小さくすることができ、結果として、本体部３の径方向のサイズをより小さくすることができる。そして、同じサイズと形状の干渉フィルタ４を使って図１に示した従来の干渉フィルタホルダ１と本実施例の干渉フィルタホルダ１ａを試作したところ、従来の干渉フィルタホルダ１では、本体部３の直径φが５．５ｍｍであったのに対し、本実施例の干渉フィルタホルダ１では、本体部３の直径φが３．０ｍｍまで細径化することができた。そして、本実施の干渉フィルタホルダ１ａを用いて干渉フィルタモジュールを構成すれば、その干渉フィルタモジュールも細径化することができる。
【００２８】
図４に、本実施例の干渉フィルタホルダ１ａを用いた干渉フィルタモジュール１０を例示した。光ファイバ６が接続されてなる光コリメータ５が干渉フィルタホルダ１ａにおける本体部３の前後のそれぞれの端面３１に接続されている。周知のごとく、光コリメータ５は中空筒状の端部に光ファイバ６との接続構造を備えた筐体の内部にコリメートレンズを当該光ファイバ６と同軸に配置した構造となっている。そして、本実施例に係る干渉フィルタホルダ１ａでは、従来の干渉フィルタホルダ１に対して約３５％以上の細径化が達成されていることから、本実施例に係る干渉フィルタホルダ１ａを用いた干渉フィルタモジュール１０を光ケーブルに組み込めば、そのケーブルを劇的に細径化することができる。また、従来の干渉フィルタホルダ１に対して本実施例の干渉フィルタホルダ１ａでは、円板状のフィルタ取付部１２２に直接干渉フィルタ４を接着する構成であるため、従来のように円筒側面に矩形孔状のフィルタ収納部２４を設けた複雑な形状の胴部２２が不要となり、コストダウンも期待できる。
【００２９】
＝＝＝変形例、その他の実施例＝＝＝
＜角度調整部について＞
上記実施例において、フィルタ保持部２ａの角度調整部２７は溝状であった。もちろん、角度調整部の形状は溝に限らず、例えば、図５（Ａ）に示したようにフィルタ保持部２ｂのように、頭部２１ｂにプラスドライバを工具とした十字溝状の角度調整部２７ｂが形成されていてもよい。あるいは同図（Ｂ）に示したフィルタ保持部２ｃのように、頭部２１ｃに六角レンチを工具とした六角形状の孔からなる角度調整部２７ｃが形成されていてもよい。いずれにしても、何らかの工具と係合して本体部３に装着されているフィルタ保持部を円板状のフィルタ取付部の中心軸周りに回動させることができる凹凸構造が形成されていればよい。
【００３０】
＜頭部の形状について＞
図２、図３に示した本実施例に係る干渉フィルタホルダ１ａでは、フィルタ保持部２ａの頭部２１とフィルタ取付部１２２とが同心の円板状であった。したがって、平坦部３４の左右幅が頭部２１の直径よりも短かいと、その頭部２１が平坦部３４の左右縁端から突出することになる。そのため、この干渉フィルタホルダ１ａを用いた干渉フィルタモジュール１０を多数本束ねた光ケーブルなどでは、この平坦部３４における頭部２１の突出部分が干渉し合い、光ケーブルを劇的に細径化することができない可能性も懸念される。確かに頭部２１自体をフィルタ取付部１２２の外径以下の円板状にすることも考えられるが、フィルタ取付部１２２の外周面が保持部挿入孔３６の内面と摩擦を持って接触している状態でフィルタ保持部２ａを回転させることを考えると、小さな頭部に工具を当てて回転させるには大きなトルクが必要となり、微少角度範囲で精度よく回転角度を調整することが難しくなる。そこで、平坦部３４からの頭部２１の突出を可能な限り抑えるために、頭部２１の形状を円板状とは異なる形状にすることが考えられる。
【００３１】
図６にフィルタ保持部２ｄの頭部２１ｄが円板状でない干渉フィルタホルダ１ｄを例示した。なお図６（Ａ）はフィルタ保持部２ｄの外観図であり、（Ｂ）は干渉フィルタホルダ１ｄの分解斜視図である。そして（Ｃ）は干渉フィルタホルダ１ｄの完成状態を示す斜視図である。この図６に示したように、フィルタ保持部２ｄの頭部２１ｄは、その上下方向への投影形状が円の両端を弓形に切り取った長円形状となっている。そして、その長円の長軸方向の長さは円板状のフィルタ取付部１２２の外径よりも大きく、短軸方向の長さはフィルタ取付部１２２の外径径よりも小さい。それによって、前後上下方向に直交する方向を左右方向としたとき、頭部２１ｄが平坦部３４の左右から突出せず、本体部３の外径φの縮小に加え、干渉フィルタホルダ１ｄにおける余分な突出部分を減少あるいは消失させることができる。そして図６に示したフィルタ保持部２ｄでは、頭部２１ｄが前後方向に十分な長さが確保されているため、小さなトルクで精度良くフィルタ保持部２ｄを回転させることができ、干渉フィルタホルダ１ｄの組み立てに要するコストの削減も期待できる。
【符号の説明】
【００３２】
１，１ａ，１ｄ  干渉フィルタホルダ、２，２ａ〜２ｄ  フィルタ保持部、
３  本体部、４  フィルタ、５  光コリメータ、６  光ファイバ、
１０  干渉フィルタモジュール、２１  頭部、２２  胴部、
２７，２７ｂ，２７ｃ  角度調整部、３１  本体部端面、３２  貫通孔、
３３  光軸（本体部円筒軸）、３４  平坦部、３５  切欠部、３６  保持部挿入孔、
４１  フィルタの光透過面、１２２  フィルタ取付部
【図１】
2014194441.tif 000003
【図２】
2014194441.tif 000004
【図３】
2014194441.tif 000005
【図４】
2014194441.tif 000006
【図５】
2014194441.tif 000007
【図６】
2014194441.tif 000008